(57)【要約】      （修正有）【課題】桐製収納箱体と、収納箱体に被蓋する桐製蓋体とからなり、防災、防虫、防湿にすぐれ、エコロジカルなユニット式ベッドを提供する。【解決手段】桐製収納箱体ａと、収納箱体に被蓋する桐製蓋体ｂとからなるヘッド体ｄ付きユニット式ベッドＡであって、桐製収納箱体が、左側板部３と右側板部４と前側板部５と後側板部と底板部７とを箱形状に接着して形成され、桐製蓋体が被蓋された桐製収納箱体を複数個並列して組立てる。桐製収納箱体が、大きさが異なる三サイズからなり、同一サイズもしくは異なるサイズの桐製収納箱体を組み合せることにより、シングル、セミダブル、ダブル、クイーン、キングサイズの各サイズのベッドが構成される。【選択図】図５
0003231170.tif 000002
【実用新案登録請求の範囲】
【請求項１】
桐製収納箱体と、前記収納箱体に被蓋する桐製蓋体とからなるユニット式ベッドであって、
前記桐製収納箱体が、左側板部と右側板部と前側板部と後側板部と底板部とを箱形状に接着し形成せしめられ、
前記桐製蓋体が被蓋せしめられた前記桐製収納箱体を複数個並列せしめ組立ててなることを特徴とする、ユニット式ベッド。
【請求項２】
前記桐製収納箱体が、大きさが異なる三サイズからなり、前記三サイズ中、同一サイズもしくは異なるサイズの桐製収納箱体を組み合せることにより、シングル、セミダブル、ダブル、クイーン、キングサイズの各サイズのベッドを構成せしめることを特徴とする、請求項１に記載のユニット式ベッド。
【請求項３】
前記桐製蓋体が、天板部の表面部に、簀の子材を接着せしめることを特徴とする、請求項１又は同２に記載のユニット式ベッド。
【請求項４】
前記桐製収納箱体に被蓋する桐製蓋体の簀の子材が、前記桐製収納箱体を構成する前側板部及び後側板部と平行状にして、且所定の間隔おきに接着せしめられると共に、前記簀の子材の間に凹部が形成せしめられることを特徴とする、請求項３に記載のユニット式ベッド。
【請求項５】
並列状に組立てられた左右両サイドの前記桐製収納箱体に被蓋する前記桐製蓋体の簀の子材の間に形成の凹部内に、ズレ止め材を嵌め込むことを特徴とする、請求項４に記載のユニット式ベッド。
【請求項６】
前記桐製蓋体を被蓋する前記桐製収納箱体が、積重せしめられた際に、前記桐製蓋体の簀の子材の間に形成せしめられている凹部内に、重ね桟が嵌め込まれることを特徴とする、請求項４又は同５に記載のユニット式ベッド。
【請求項７】
前記桐製収納箱体が、前記桐製収納箱体を構成する左側板部もしくは右側板部を引戸部もしくは引出し部とすることを特徴とする、請求項１に記載のユニット式ベッド。
【請求項８】
前記桐製収納箱体に被蓋する桐製蓋体の天板部が、各板部の上面部に接着せしめられると共に、前記天板部の表面部に簀の子材が接着せしめられていることを特徴とする、請求項１又は同２に記載のユニット式ベッド。
【請求項９】
前記桐製収納箱体に被蓋する桐製蓋体の天板部が、各板部の上面部に接着せしめられると共に、前記左側板部もしくは右側板部を引出し部とすることを特徴とする、請求項１又は同２に記載のユニット式ベッド。
【請求項１０】
前記桐製収納箱体を複数個並列し組立てられるユニット式ベッドが、前記桐製収納箱体の下方底部と床面との間に、辷り止めシートを敷詰めることを特徴とする、請求項１又は２又は同３又は同４又は同５又は同６又は同７又は同８又は同９に記載のユニット式ベッド。
【請求項１１】
前記桐製収納箱体を複数個並列し組立てられるユニット式ベッドが、前記桐製収納箱体とヘッド体との連結時に鬼目ナット（登録商標）を使用することで前記桐製収納箱体の単独使用時でもその密封性を保つことができることを特徴とする、請求項１又は２又は同３又は同４又は同５又は同６又は同７又は同８又は同９又は同１０に記載のユニット式ベッド。
【考案の詳細な説明】
【技術分野】
【０００１】
本考案は桐製収納箱体と、前記収納箱体に被蓋する桐製蓋体とからなるユニット式ベッドの技術分野に関するものである。
【背景技術】
【０００２】
従来、下記特許文献１（特開２０１６−１０１３０９公報）において、簡易収納ベッドが開示されている。
【０００３】
その簡易収納ベッドは、複数枚の天板用板材を折り畳み可能に連結した天板と、天板を支持する、伸縮可能に設けられた支持フレームと、を備え、支持フレームを伸長させてその上に天板を伸展させれば、簡易ベッドを簡単に形成することができるとするものである。
【０００４】
また、特許文献２（特開２０１７−１６４４００公報）において、組立ベッドが開示されている。
【０００５】
その組立ベッドは、端板と側板からなる矩形枠状の架台、及び架台に載置連結する横断分割された床板体で構成され、架台が端板よりも短い略同一長の左右分割側板部と、端板及び側板全長から前記分割側板部を除いた残余の側板部からなる２個のＬ状板部で形成されると共に、枠状に配置した際の各連結箇所をヒンジ部とし、床板体が、前記枠状に配置した際の架台上に載置固定して組み立てるものである。
【先行技術文献】
【特許文献】
【０００６】
【特許文献１】特開２０１６−１０１３０９公報
【特許文献２】特開２０１７−１６４４００公報
【考案の概要】
【考案が解決しようとする課題】
【０００７】
前記特許文献１に記載の簡易収納ベッドは、ベッドサイドに設置可能にして、迅速撤去ができると共に、ベッドサイドのデッドスペースを少なくすることを課題とするもので、ベッドを構成する天板２と側板１７ａ、１７ｂによって形成される空間部には、気密性もなく、種々物品等の保管もできず、湿気を逃がしたりができない構造である。
【０００８】
また、特許文献２に記載の組立ベッドは、課題として架台を螺子連結で形成することなく組立容易性とコンパクト化して収納運搬性に優れたものとするもであって、気密性もなく、物品等の保管もできず、さらに湿気を逃がしたりができない構造である。
【０００９】
しかるに、本考案のユニット式ベッドは、ユニット体の蓋体付き収納箱体が耐火性、耐湿性及び耐害虫性及び軽量性等に極めて優れた天然素材の桐材を使用し、接着時には金釘を一切使わず桐箪笥の技の蟻組接ぎもしくはロッキング加工を施し、さらに前記収納箱体に被せる簀の子構造の蓋体を、前記収納箱体と同様、天然素材の総桐材をもって加工せしめて、貴重品を始め種々の物品を収納し、防災、防害虫、防湿気及びエコロジカルな複合家具として課題を解決した。
【００１０】
さらに本考案のユニット式ベッドは、マンションなどの空間を有効利用し、腰掛けも容易にして、またユニットベッドとして使用した際に、ユニット化している前記収納箱体にずれ止めを防止し、且前記収納箱体の積重時には、重ね桟を前記簀の子の間に形成せしめられた凹部に嵌め込み使用することによって、積重収納箱体の辷りを防止し安全なユニットベッド製品とする課題を解決した。
【課題を解決するための手段】
【００１１】
課題を解決するための手段として、請求項１に記載の考案は、桐製収納箱体ａと、前記収納箱体ａに被蓋する桐製蓋体ｂとからなるユニット式ベッドＡであって、
前記桐製収納箱体ａが、左側板部３と右側板部４と前側板部５と後側板部６と底板部７とを箱形状に接着し形成せしめられ、
前記桐製蓋体ｂが被蓋せしめられた前記桐製収納箱体ａを複数個並列せしめ組立ててなることを特徴とする、ユニット式ベッドである。
【００１２】
請求項２に記載の考案は、前記桐製収納箱体ａが、大きさが異なる三サイズからなり、前記三サイズ中、同一サイズもしくは異なるサイズの桐製収納箱体ａを組み合せることにより、シングル、セミダブル、ダブル、クイーン、キングサイズの各サイズのベッドを構成せしめることを特徴とする、請求項１に記載のユニット式ベッドである。
【００１３】
請求項３に記載の考案は、前記桐製蓋体ｂが、天板部１の表面部２に、簀の子材ｃを接着せしめることを特徴とする、請求項１又は同２に記載のユニット式ベッドである。
【００１４】
請求項４に記載の考案は、前記桐製収納箱体ａに被蓋する桐製蓋体ｂの簀の子材ｃが、前記桐製収納箱体ａを構成する前側板部５及び後側板部６と平行状にして、且所定の間隔おきに接着せしめられると共に、前記簀の子材ｃの間に凹部８が形成せしめられることを特徴とする、請求項３に記載のユニット式ベッドである。
【００１５】
請求項５に記載の考案は、並列状に組立てられた左右両サイドの前記桐製収納箱体ａに被蓋する前記桐製蓋体ｂの簀の子材ｃの間に形成の凹部８内に、ズレ止め材ｅを嵌め込むことを特徴とする、請求項４に記載のユニット式ベッドである。
【００１６】
請求項６に記載の考案は、前記桐製蓋体ｂを被蓋する前記桐製収納箱体ａが、積重せしめられた際に、前記桐製蓋体ｂの簀の子材ｃの間に形成せしめられている凹部８内に、重ね桟ｆが嵌め込まれることを特徴とする、請求項４又は同５に記載のユニット式ベッドである。
【００１７】
請求項７に記載の考案は、前記桐製収納箱体ａが、前記桐製収納箱体ａを構成する左側板部３もしくは右側板部４を引戸部４ａもしくは引出し部４ｂとすることを特徴とする、請求項１に記載のユニット式ベッドである。
【００１８】
請求項８に記載の考案は、前記桐製収納箱体ａに被蓋する桐製蓋体ｂの天板部１が、各板部３、４、５、６の上面部に接着せしめられると共に、前記天板部１の表面部２に簀の子材ｃが接着せしめられていることを特徴とする、請求項１又は同２に記載のユニット式ベッドである。
【００１９】
請求項９に記載の考案は、前記桐製収納箱体ａに被蓋する桐製蓋体ｂの天板部１が、各板部３、４、５、６の上面部に接着せしめられると共に、前記左側板部３もしくは右側板部４を引出し部４ｂとすることを特徴とする、請求項１又は同２に記載のユニット式ベッドである。
【００２０】
請求項１０に記載の考案は、前記桐製収納箱体ａを複数個並列し組立てられるユニット式ベッドＡが、前記桐製収納箱体ａの下方底部と床面との間に、辷り止めシートｓを敷詰めることを特徴とする、請求項１又は２又は同３又は同４又は同５又は同６又は同７又は同８又は同９に記載のユニット式ベッドである。
【００２１】
請求項１１に記載の考案は、前記桐製収納箱体ａを複数個並列し組立てられるユニット式ベッドＡが、前記桐製収納箱体ａとヘッド体ｄとの連結時に鬼目ナット（登録商標）を使用することで前記桐製収納箱体ａの単独使用時でもその密封性を保つことができることを特徴とする、請求項１又は２又は同３又は同４又は同５又は同６又は同７又は同８又は同９又は同１０に記載のユニット式ベッドである。
【考案の効果】
【００２２】
本考案は、上述のとおりユニット式ベッドを構成する桐製収納箱体と、前記桐製収納箱体に被蓋する蓋体を桐製とした前記桐製収納箱体内に貴重品もしくは沢山の着物、衣類を保管できると共に、高い気密性と耐火性を有し、且耐害虫性と耐湿性等を確保しながら、ベッドとして使用できるすぐれた利点がある。
【００２３】
また、本考案は上述のとおり蓋体が簀の子構造にて形成せしめられているので、マットレス下に溜った湿気を簀の子同士の間に形成の凹部から逃す利点を有している。
【００２４】
さらに、本考案は上述のとおり、ベッドとして組立てた際の隣接する蓋体を構成する簀の子材の凹部内に、ズレ止め材を嵌め込むと、組立てられた桐製箱体がズレたりしない利点がある。
【００２５】
しかも、上述のとおり、蓋体を被蓋したまま箱体をベッドとして使用後、移動して積重しても、下方位置の蓋体の簀の子材によって形成せしめられている凹部に所定の形状にて形成の重ね桟を嵌め込むことができるので、積重した前記桐製箱体がズレたりしない利点がある。
【００２６】
加えて、本考案は上述のとおりの構成にして、前記桐製収納箱体内に、貴重品や衣類等を収納できると共に、耐火性、耐湿性、耐害虫性等が発揮できるので、安全な高級ベッドとしてのニーズに呼応し、さらに世代を超えて長く使用可能なエコロジカルな複合家具として優れた利点を有している。
【００２７】
さらに、本考案は大きさが異なる三サイズを形成し、同一サイズもしくは異なるサイズの桐製収納箱体を組み合せれば、シングル、セミダブル、ダブル、クイーン、キングサイズの各サイズのベッドを極めて簡単且確実に組立てができる利点がある。
【００２８】
また、本考案は桐製収納箱体を構成せしめる部材中、左側板部もしくは右側板部を除去して引戸部もしくは引出し部とし、前記と同様貴重品もしくは着物、衣類等を、高い気密性と耐火性を有し、且耐害虫性等を確保しながら、ベッドとして使用できる利点がある。
【００２９】
さらに、本考案は上述のとおりの構成にして、桐製収納箱体とヘッド体との連結時に桐製収納箱体側に鬼目ナット（登録商標）を使用することで、前記桐製収納箱体の単独使用時に密封性を保つことができる優れた利点がある。
【図面の簡単な説明】
【００３０】
【図１】本考案ユニット式ベッドの構成部材である寸法が異なる３タイプ（ＢＯＸ１、ＢＯＸ２、ＢＯＸ３）の桐製収納箱体の平面図である。
【００３１】
【図２】同ａ、ｂ、ｃは図１の寸法が異なる３タイプにして、且同一寸法を４個宛組立てた桐製収納箱体の平面図である。
【００３２】
【図３】同ｄは、寸法が異なる２種類の桐製収納箱体を６個セットにして組立てた状態の平面図であり、同ｅは同一寸法の桐製収納箱体を６個セットにして組立てた状態の平面図である。
【００３３】
【図４】本考案ユニット式ベッドの組立てた状態の斜視図である。
【００３４】
【図５】同図４のユニット式ベッドを構成する一部の桐製収納箱体の蓋体を開けた状態の斜視図である。
【００３５】
【図６】同図４のユニット式ベッドを構成する桐製収納箱体の平面図である。
【００３６】
【図７】同図６における桐製収納箱体の正面図である。
【００３７】
【図８】同図６の桐製収納箱体の縦断面図である。
【００３８】
【図９】同図７における桐製収納箱体の正面図である。
【００３９】
【図１０】同図９の桐製収納箱体の縦断右側面図である。
【００４０】
【図１１】同桐製収納箱体を構成する側板部の蟻組接ぎの示す一部切欠斜視図である。
【００４１】
【図１２】同桐製収納箱体を構成する各板部のロッキング加工と木釘による接続状態を示す一部切欠斜視図である。
【００４２】
【図１３】同図７の桐製収納箱体の底面斜視図である。
【００４３】
【図１４】同ズレ止め材の平面図と側面図である。
【００４４】
【図１５】同重ね桟の平面図と正面図と右側面図である。
【００４５】
【図１６】同積重した桐製収納箱体の蓋体を構成する簀の子間に形成せしめられた凹部に重ね桟を嵌め込んだ状態を示す図である。
【００４６】
【図１７】同図１６の重ね桟を斜視した背面図である。
【００４７】
【図１８】カット前の辷り止めシートを展開せしめた一部切欠の正面図である。
【００４８】
【図１９】同引き戸ユニットと引出しユニットと衣装箱ユニットとヘッドボードとフットボードを組立てた第２実施例のユニット式ベッドの斜視図である。
【００４９】
【図２０】図１９における衣装箱ユニットの斜視図である。
【００５０】
【図２１】図１９における引出しユニットの斜視図である。
【００５１】
【図２２】図１９における引き戸ユニットの斜視図である。
【００５２】
【図２３】同天板がフラット状の桐製蓋体を開けた桐製収納箱体と簀の子を接着した蓋体を被蓋した桐製収納箱体の斜視図である。
【００５３】
【図２４】同簀の子付き蓋体を被蓋する桐製収納箱体２個と簀の子なしの蓋体を展開した桐製収納箱体１個を組立てた本考案ユニット式ベッドの組立てた状態の斜視図である。
【００５４】
【図２５】同上面部に簀の子を接着した第２実施例の引出し式桐製収納箱の斜視図である。
【００５５】
【図２６】桐製収納箱体とヘッド体との連結時に使用する鬼目ナット（登録商標）とボルトの斜視図である。
【００５６】
【図２７】桐製収納箱体の前側板部にヘッド体との連結のため打込んだ鬼目ナット（登録商標）を示す図である。
【００５７】
【図２８】桐製収納箱体の前側板部にヘッド体との連結のために打込んだ鬼目ナット（登録商標）に螺合せしめるボルトを外側より見た外側面図である。
【００５８】
【図２９】桐製収納箱体の前側板部に穿孔した孔に鬼目ナット（登録商標）を挿入前の斜視図とヘッド体側に穿孔した孔にボルトを挿込んだ状態の桐製収納箱体とヘッド体の一部切欠斜視図である。
【００５９】
【図３０】図２９における鬼目ナット（登録商標）とボルトを螺着せしめた桐製収納箱体とヘッド体の一部切欠縦断面図である。
【考案を実施するための最良の形態】
【００６０】
請求項１〜１１に記載の考案に関する実施の形態は共通しているので、図面に基づき以下のとおり一括して説明する。
【００６１】
図において、符号Ａはユニット式ベッドであって、桐製収納箱体ａと桐製蓋体ｂとから構成されている。
【００６２】
前記桐製収納箱体ａは、同一同寸形状の前側板部５と後側板部６と、同一同寸形状の左側板部３と右側板部４と底板部７とを図６、７、８、９、１１、１２に図示するように金釘を一切使用することなく、少量の接着剤と木釘で前記各板部３、４、５、６、７を上方が開口状にして、且箱形状に接着せしめる。前記底板部７は、図８、１０、１３に図示するように前後側板部５、６と左右側板部３、４の底面部より若干底上げされた状態で接着されている。前記左右両側板部３、４と前記前後側板部５、６の高さは、腰掛け易い一例として２５０ｍｍとするが限定しない。
【００６３】
さらに、本考案においては、前記桐製収納箱体ａを図１に図示するように、サイズが異なる、ＢＯＸ１、ＢＯＸ２、ＢＯＸ３の３種類を別設する。
【００６４】
図において、ｂは桐製蓋体であり以下の構成からなっている。
【００６５】
前記桐製蓋体ｂは、前記桐製収納箱体ａの開口部１０に隙間を最小限に調整すべく、前記桐製蓋体ｂの裏面部１ａの外周縁部の厚さを薄目に形成する（図８、９、１０）。
【００６６】
前記のような蓋体ｂの形状とすることによって、前記桐製収納箱体ａに被せると、前記左側板部３と前記右側板部４と前記前側板部５と前記後側板部６の夫々の上面部と、前記蓋体ｂとの間に、隙間ができずに高い気密性を保持することが可能となる。
【００６７】
図において、ｃは桐製簀の子材であり、以下の構成からなっている。
【００６８】
前記簀の子材ｃは、前記桐製蓋体ｂの天板部１の表面部２に、前記桐製収納箱体ａを構成する前側板部５と後側板部６と平行状にして、且所定の間隔を設け接着剤にて接着する（図６、７、８）。前記簀の子材ｃの間には、凹部８が形成される。
【００６９】
図において、ｅはズレ止め材であり、その構造は図４、１４に図示されているように、前記桐製蓋体ｂの簀の子材ｃの凹部８内に嵌挿可能な形状にして、且凹部８内に嵌挿したとき、前記簀の子材ｃの表面部より突出しない形状で形成されている。
【００７０】
図において、ｆは重ね桟であり、以下の構成からなっている。
【００７１】
前記重ね桟ｆの構造は、図１５、１６、１７に図示するように、前記蓋体ｂの簀の子材ｃによって形成されている凹部８内に嵌挿可能な突出部９を有し、且前記突出部９の上面部９ａが、前記簀の子材ｃの上面部より突出している。
【００７２】
図において、ｓは塩化ビニール樹脂製の辷り止めシートであり、使用は前記桐製収納箱ａの下方底部と床面との間に敷き詰め使用する。
【００７３】
図において、ｄはヘッド体である。
【００７４】
また、本考案においては、前記桐製収納箱体ａが、前記桐製収納箱体ａを構成する左側板部３もしくは右側板部４を除去し、引戸部４ａにして形成したり、引出し部４ｂとして形成することができる（図１９、２１、２２）。そして前記桐製収納箱体ａの天板部１は、上面部をフラット状にして前記各板部３、４、５、６の上面部に接着する。
【００７５】
また、本考案においては、前記桐製収納箱体ａを図２５に図示するように、左側板部３もしくは右側板部４と前側板部５と後側板部６と桐製天板部１と底板部７とを接着せしめ、前記左側板部３もしくは右側板部４の何れかを除去して引出し部４ｂを嵌め込んだ構成とすることもできる。そして前記桐製収納箱体ａの桐製天板部１の上面部に簀の子材ｃを前記前側板部５と後側板部６と平行状にして、且所定の間隔を設け接着剤にて接着する。前記簀の子材ｃの間には、凹部８が形成される。
【００７６】
さらに本考案は、図１に図示するように、大きさの異なるサイズのＢＯＸ１、ＢＯＸ２、ＢＯＸ３からなる桐製収納箱体ａを別設しておき、図２のａ、ｂ、ｃ及び図３のｄ、ｅのように組み合わせて使用する。
【００７７】
その結果、シングル、セミダブル、ダブル、クイーン、キングサイズのベッドが構成できるのが特長である。
【００７８】
以上が本考案のユニット式ベッドＡの各構成部材である。
【００７９】
＜桐製収納箱体ａをユニットしてベッドＡとする実施例＞
本考案において、前記のように形成せしめられた各構成部材の使用方法について説明する。
【００８０】
前記桐製簀の子材ｃが接着せしめられた蓋体ｂを被蓋する前記桐製収納箱体ａをベッドＡとして使用するには、図２、３に図示するように、大きさの異なる桐製収納箱体ａと桐製蓋体ｂを予め別設しておき、前記収納箱体ａと前記蓋体ｂを並列状にセットしてシングルベッドもしくはセミダブルベッドもしくはダブルベッドもしくはクイーンベッドもしくはキングサイズベッドとして組立てることが可能である。
【００８１】
前記のようにシングルベッドもしくはダブルベッド等として並列状にセットする以前もしくは以後において、前記桐製収納箱体ａに、着物もしくは衣類もしくは貴重品類もしくは書画骨董品等を収納できる。その際被収納物は、前記桐製収納箱体ａ内部は、極めて気密性が高いので、安心、安全にて保管できる利点がある。
【００８２】
さらに前記桐製収納箱体ａは、桐製のため極めて軽量である。そのため女性でも簡単に運搬し移動と設置することが可能である。
【００８３】
＜桐製収納箱体ａと被蓋した桐製蓋体ｂとの相互関係＞
本考案は、前記桐製収納箱体ａの開口部１０に桐製蓋体ｂが被蓋すると、前記桐製蓋体ｂの裏面部１ａの外周縁部の厚さを薄目に形成したので、前記桐製収納箱体ａの内部を極めて高い気密性が保持できる。
【００８４】
＜ズレ止め材ｅの使用方法＞
本考案にはズレ止め材ｅが使用されている。すなわち、図４、１４に図示されているように、前記桐製収納箱体ａを複数個セットしてベッドＡとした際に、各桐製収納箱体ａに被蓋する隣接する桐製蓋体ｂの簀の子材ｃに形成の凹部８内に、前記ズレ止め材ｅを嵌挿し使用する。そのためベッドＡのズレを防止できる利点がある。
【００８５】
＜重ね桟ｆの使用方法＞
本考案において重ね桟ｆを使用する。
【００８６】
前記重ね桟ｆは、図１７に図示するように、前記桐製収納箱体ａを積重した際に、前記桐製収納箱体ａに被蓋する桐製蓋体ｂの天板部１に接着せしめられている簀の子材ｃによって形成されている凹部８に嵌め込み使用する。
【００８７】
前記のように、重ね桟ｆが凹部８に嵌め込まれていると、上段に積重の別設の桐製収納箱体ａの底部を構成する各板部３、４、５、６内に、前記重ね桟ｆが嵌挿し、上段の桐製収納箱体ａが引掛り係止される。そのため上段の前記桐製収納箱体ａが辷ることがない。
【００８８】
＜辷り止めシートｓの使用方法＞
本考案は辷り止めシートｓを使用する。
【００８９】
前記辷り止めシートｓは、図２、３に図示するように、セット化したベッドＡを構成する桐製収納箱体ａの下方底部と床面との間に辷り止めシートｓを敷詰め使用するものである。
【００９０】
図において、１１は本考案のユニット式ベッドＡを構成する桐製収納箱体ａとヘッド体ｄ（図４参照）とを連結するナットである。前記ナット１１は鬼目ナット（登録商標）を使用すると極めて好適である。
【００９１】
１２は前記ナット１１に螺着するボルト、１３は前記桐製収納箱ａの前側板部５に穿孔の孔、１４は前記ヘッド体ｄに穿孔された孔である。
【００９２】
本考案において、桐製収納箱体ａの前側板部５の孔１３に前記ナット１１を挿入し、前記桐製収納箱体ａとヘッド体ｄとを連結したことによって、前記桐製収納箱体ａの単独使用時における密封性が確実に保持できる利点がある。
【００９３】
以上本考案の実施例を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００９４】
Ａ        ユニット式ベッド
ａ        桐製収納箱体
ｂ        桐製蓋体
ｃ        簀の子材
ｄ        ヘッド体
ｅ        ズレ止め材
ｆ        重ね桟
ｓ        辷り止めシート
１        天板部            
１ａ      裏面部
２        表面部
３        左側板部
４        右側板部
４ａ      引戸部
４ｂ      引出し部
５        前側板部
６        後側板部
７        底板部
８        凹部
９        突出部
９ａ      上面部
１０      開口部
１１      ナット
１２      ボルト
１３      孔
１４      孔
【図１】
0003231170.tif 000003
【図２】
0003231170.tif 000004
【図３】
0003231170.tif 000005
【図４】
0003231170.tif 000006
【図５】
0003231170.tif 000007
【図６】
0003231170.tif 000008
【図７】
0003231170.tif 000009
【図８】
0003231170.tif 000010
【図９】
0003231170.tif 000011
【図１０】
0003231170.tif 000012
【図１１】
0003231170.tif 000013
【図１２】
0003231170.tif 000014
【図１３】
0003231170.tif 000015
【図１４】
0003231170.tif 000016
【図１５】
0003231170.tif 000017
【図１６】
0003231170.tif 000018
【図１７】
0003231170.tif 000019
【図１８】
0003231170.tif 000020
【図１９】
0003231170.tif 000021
【図２０】
0003231170.tif 000022
【図２１】
0003231170.tif 000023
【図２２】
0003231170.tif 000024
【図２３】
0003231170.tif 000025
【図２４】
0003231170.tif 000026
【図２５】
0003231170.tif 000027
【図２６】
0003231170.tif 000028
【図２７】
0003231170.tif 000029
【図２８】
0003231170.tif 000030
【図２９】
0003231170.tif 000031
【図３０】
0003231170.tif 000032